(57)【要約】  【課題】  開閉初期における扉本体の開放力の軽減を実現した上で、簡単な操作で開放することができるとともに、構造がシンプルであり、低コストで製造可能な扉を提供すること。  【解決手段】  回動する扉本体２と、扉本体２に設けた開閉用の把手３，４とを備え、把手３，４を扉本体２の開放方向に押し引き操作すると、この押し引き操作に伴って把手３，４の躯体押圧部３ａが躯体側の戸当たり部５を押圧し、扉本体２に開放力を付与するように構成した。  【選択図】  図１
2006144247.tif 000002
【特許請求の範囲】
【請求項１】
回動する扉本体と、扉本体に設けた開閉用の把手とを備え、把手を扉本体の開放方向に押し引き操作すると、この押し引き操作に伴って把手の躯体押圧部が躯体側の戸当たり部を押圧し、扉本体に開放力を付与するように構成したことを特徴とする扉。
【請求項２】
前記躯体押圧部が煙返しに兼用されている請求項１に記載の扉。
【発明の詳細な説明】
【技術分野】
【０００１】
本発明は、例えば居住空間を構成する躯体（建築物）の出入口や窓あるいは門を閉塞開放する扉に関する。
【背景技術】
【０００２】
上記扉として、例えば、躯体開口に嵌め込まれたサッシ枠の竪枠に一端部を回動自在に支持させた扉本体を備えたものがあるが、このような扉において、扉本体の重量が大きい場合や、気密性および防音性を高めるためにサッシ枠に密着性を有するタイト材が設けてある場合には、開放初期に大きな扉本体開放力を必要とする。そのため、扉の開放操作が特に高齢者や子どもにとって困難となるおそれがあった。
【０００３】
そこで、本発明者は、特許文献１に示すように、回動する扉本体と、扉本体に設けた開閉操作用の把手を備え、把手を扉本体に対して開閉方向に押し引き作動可能とし、扉本体には、把手の開放作動に伴って把手の作動方向と同じ方向の開放力を扉本体に付与する開放力付与機構を設けた扉を提案している。
【特許文献１】特開２０００−２９１３２９
【発明の開示】
【発明が解決しようとする課題】
【０００４】
しかし、特許文献１に記載された扉は、前記開放力付与機構の構造が複雑であるので、製造コストが高く製品化が困難であるという問題があった。
【０００５】
本発明は上述の事柄に留意してなされたもので、その目的は、開放初期における扉本体の開放力の軽減を実現した上で、簡単な操作で開放することができるとともに、構造がシンプルであり、低コストで製造可能な扉を提供することである。
【課題を解決するための手段】
【０００６】
上記目的を達成するために、本発明の扉は、回動する扉本体と、扉本体に設けた開閉用の把手とを備え、把手を扉本体の開放方向に押し引き操作すると、この押し引き操作に伴って把手の躯体押圧部が躯体側の戸当たり部を押圧し、扉本体に開放力を付与するように構成したことを特徴としている（請求項１）。
【０００７】
また、前記躯体押圧部を煙返しに兼用してもよい（請求項２）。
【発明の効果】
【０００８】
請求項１に係る発明では、扉本体開閉用の把手を押し引き操作するだけで、把手の躯体押圧部が躯体側の戸当たり部を押圧し、これにより、扉本体に開放力が付与されるので、扉本体の開放初期に必要な開放力を軽減することができる扉が得られる。しかも、この扉では、把手の操作方向と扉本体の開放方向とを一致させているので、把手の操作が簡単であり、また、構造をシンプルにして、低コストで製造することも容易である。
【０００９】
請求項２に係る発明では、把手の躯体押圧部を煙返しに兼用させるので、別途煙返しを設ける必要がなく、その分だけ扉全体の部品点数を減らすことができるとともに、製造コストのさらなる低減を図ることが可能となる。
【発明を実施するための最良の形態】
【００１０】
図１〜図８は本発明の一実施の形態を示す。まず、図１（Ａ）および（Ｂ）は、この実施の形態に係る扉１の構成を概略的に示す正面図および背面図であり、これらの図に示すように、扉１は、回動する扉本体２と、扉本体２に設けられた開閉用の外把手３および内把手４とを備えている。詳しくは、扉本体２は、その一端部を躯体開口に嵌め込んだサッシ枠Ｓの吊り元側竪枠にヒンジＨを介して連結され、室外側に開くように構成されている。また、外把手３および内把手４は、扉本体２の他端部の室外側および室内側に設けられている。
【００１１】
なお、外把手３は、図１（Ａ）および図２に示すように、扉本体２の上端から下端にまで延び、扉本体２と前記サッシ枠Ｓとの間の隙間を覆う化粧用および通気防止用の煙返しに兼用されている。
【００１２】
そして、図２は前記扉１の要部の構成を概略的に示す横断面図であり、この図に示すように、扉１は、閉じた状態の扉本体２を開くために外、内把手３，４を扉本体２の開放方向（図２において矢印Ｐ方向）に押し引き操作すると、この押し引き操作に伴い、外把手３の一端部に設けられた躯体押圧部３ａが躯体側のサッシ枠Ｓの戸当たり部５を押圧し、扉本体２に開放力を付与するように構成されている。ここで、上記外、内把手３，４を扉本体２の開放方向（矢印Ｐ方向）に押し引き操作するとは、外把手３を矢印イ方向に引く操作または内把手４を矢印ロ方向に押す操作をすることをいう。尚、図２に示す如く、躯体押圧部３ａに樹脂等からなる当接部３ｂを別途設けると共に、戸当たり部５に金属又は樹脂等からなる受け座５ａを別途設け、この受け座５ａに当接部３ｂを当接させて躯体押圧部３ａによる躯体側のサッシ枠Ｓの押圧を行うように構成することが実用上望ましい。
【００１３】
以下、扉１の要部の構成の詳細について説明する。なお、図３は図２のＸ−Ｘ線断面図、図４は扉１の要部の構成を概略的に示す縦断面図である。
【００１４】
まず、図２および図４において、６は外把手３に取り付けられる外軸受けであり、この外軸受け６の平面図、縦断面図および正面図がそれぞれ図５（Ａ）、（Ｂ）および（Ｃ）に示されている。そして、これらの図に示すように、外軸受け６は、縦断面ほぼコ字形状をしており、ほぼ矩形状の平板部７と、この平板部７の両端に連設され互いに平行な一対の板状部８，８とを有し、平板部７が溶接または接着剤により外把手３に固定される。尚、外軸受け６と外把手３とを例えばねじ（図示していない）によって固定することもできる。
【００１５】
また、図２〜図４において、１０は前記外軸受け６を保持する外座であり、この外座１０の正面図、側面図および平面図がそれぞれ図６（Ａ）、（Ｂ）および（Ｃ）に示されている。そして、これらの図に示すように、外座１０は、ほぼ板状のベース部１１と、このベース部１１に突設されたほぼ角筒状の筒部１２とを備えている。なお、外座１０は、その上下に設けられた孔１０ａ，１０ａを挿通する固定部材１３，１３（図２および図４参照）によって扉本体２の室外側の面に固定される。
【００１６】
さらに、図２〜図４において、１４は第一外軸ピンであり、この第一外軸ピン１４は、前記外軸受け６の一対の板状部８，８に設けられた孔８ａ，８ａ（図５（Ａ）〜（Ｃ）参照）と、外座１０の筒部１２に設けられた二つの孔１２ａ，１２ａ（図６（Ａ）および（Ｃ）参照）とを挿通し、これにより、外軸受け６が第一外軸ピン１４の軸まわりに回動可能な状態で外座１０に保持される。
【００１７】
なお、図３において、１５は前記軸ピン１４における筒部１２内に位置する部位を覆うように構成された筒状体である。
【００１８】
他方、図２および図４において、１６は内把手４に取り付けられる内軸受けであり、前記外軸受け６とほぼ同様の構造をしている。すなわち、図７（Ａ）、（Ｂ）および（Ｃ）は、内軸受け１６の構成を概略的に示す平面図、縦断面図および正面図であり、これらの図に示すように、内軸受け１６は、縦断面ほぼコ字形状をしており、ほぼ矩形状の平板部１７と、この平板部１７の両端に連設され互いに平行な一対の板状部１８，１８とを有している。そして、内軸受け１６の平板部１７は内把手４に固定され、この固定は、前記外把手３に対する外軸受け６の固定と同様に行うことができる。
【００１９】
また、図２および図４において、２０は前記内軸受け１６を保持する内座であり、前記外座１０とほぼ同様の構造をしている。すなわち、図８（Ａ）、（Ｂ）および（Ｃ）は、内座２０の構成を概略的に示す正面図、側面図および平面図であり、これらの図に示すように、内座２０は、ほぼ板状のベース部２１と、このベース部２１に突設されたほぼ角筒状の筒部２２とを備えている。なお、内座２０は、その上下に設けられた孔２０ａ，２０ａを挿通する固定部材２３，２３（図２および図４参照）によって扉本体２の室内側の面に固定される。
【００２０】
さらに、図２および図４において、２４は第一内軸ピンであり、この第一内軸ピン２４は、前記内軸受け１６の一対の板状部１８，１８に設けられた孔１８ａ，１８ａ（図７（Ａ）〜（Ｃ）参照）と、内座２０の筒部２２に設けられた二つの孔２２ａ，２２ａ（図８（Ａ）および（Ｃ）参照）とを挿通し、これにより、内軸受け１６が第一内軸ピン２４の軸まわりに回動可能な状態で内座２０に保持される。
【００２１】
そして、前記外軸受け６と内軸受け１６とは、図２に示すように、リンク部材２５で連結されている。すなわち、図２および図３において、２６は第二外軸ピンであり、この第二外軸ピン２６は、前記外軸受け６の一対の板状部８，８に設けられた孔８ｂ，８ｂ（図５（Ａ）および（Ｃ）参照）と、リンク部材２５の一端部に設けられた孔２５ａ（図３参照）とを挿通し、これにより、外軸受け６とリンク部材２５とが第二外軸ピン２６の軸まわりに回動可能な状態で互いに連結される。そのため、図２、図３並びに図６（Ａ）および（Ｃ）に示すように、外座１０のベース部１１において筒部１２に囲まれた部位には、リンク部材２５の一端部を挿通させるための孔１１ａが設けられている。
【００２２】
一方、図２および図４において、２７は第二内軸ピンであり、この第二内軸ピン２７は、前記内軸受け１６の一対の板状部１８，１８に設けられた孔１８ｂ，１８ｂ（図７（Ａ）および（Ｃ）参照）と、リンク部材２５の他端部に設けられた孔２５ｂ（図４参照）とを挿通し、これにより、内軸受け１６とリンク部材２５とが第二内軸ピン２７の軸まわりに回動可能な状態で互いに連結される。そのため、図２並びに図８（Ａ）および（Ｃ）に示すように、内座２０のベース部２１において筒部２２に囲まれた部位には、リンク部材２５の他端部を挿通させるための孔２１ａが設けられている。
【００２３】
さらに、前記第二内軸ピン２７は、図２および図４に示すように、内座２０の筒部２２に設けられた二つの孔２２ｂ（図８（Ａ）および（Ｃ）参照）をも挿通しており、図８（Ｃ）に示すように、二つの孔２２ｂは適宜の曲率を有するように湾曲した長孔となっている。そして、このような構成により、内軸受け１６の第一内軸ピン２４を軸とした回動範囲が制限されている。
【００２４】
また、図２および図３において、２８はリンク部材２５を室内側（すなわち矢印Ｐ方向と逆の方向）に付勢する付勢手段としてのスプリングであり、その本体部が前記筒状体１５を囲むように配置されているとともに、一端部が外座１０に固定され、他端部が第二外軸ピン２６を室内側へと付勢するように構成されている。
【００２５】
なお、図２において、２９は外、内把手３，４の押し引き操作に連動する従来公知の反転ラッチであり、３０は錠ケース、３１はフロント板である。
【００２６】
次に、前記扉１の作動について説明する。
まず、図２に示すように、扉本体２が閉じられているときには、反転ラッチ２９によって扉本体２の開放が制止されているとともに、外、内把手３，４および軸受け６，１６はそれぞれ図２において実線で示す初期位置にある。すなわち、リンク部材２５はスプリング２８によって常時室内側へと付勢されており、この付勢は内軸受け１６の第一内軸ピン２４を軸とした回動（図２において反時計方向の回動）に変換される。そして、この回動範囲は上述したように制限されており、この制限を受けて外、内把手３，４および軸受け６，１６の初期位置が決定される。
【００２７】
そして、例えば、室外から室内に入るに際し、外把手３を矢印イ方向に引き操作すると、この操作により外把手３に加わった力は、外把手３と一体の外軸受け６の第一外軸ピン１４を軸とした回動（図２において時計方向の回動）に変換される。
【００２８】
なお、上記外把手３と一体の外軸受け６の回動はリンク部材２５を介して内軸受け１６に伝達されるため、外軸受け６の回動と同時に、内軸受け１６の第一内軸ピン２４を軸とした回動も行われることになる。また、上述したように、この内軸受け１６の回動範囲は制限されており、この制限を受けて、外、内把手３，４および軸受け６，１６はそれぞれ図２において２点鎖線で示す回動位置までのみ移動することができるように構成されている。
【００２９】
上述のように外把手３を矢印イ方向に引き操作すると、まず、反転ラッチ２９が反転し、扉本体２の開放の制止が解除される。そして、さらにこの外把手３の引き操作を続けると、外把手３の一端部に設けられた躯体押圧部３ａの当接部３ｂが戸当たり部５の受け座５ａに当接し、これを押圧することにより、扉本体２に開放力が付与される。そのため、このまま外把手３の引き操作を継続させれば、扉本体２を小さな力で開くことができる。
【００３０】
また、室内から室外に出るに際し、内把手４を矢印ロ方向に押し操作すると、この操作により内把手４に加わった力は、内把手４と一体の内軸受け１６の第一内軸ピン２４を軸とした回動（図２において時計方向の回動）に変換される。
【００３１】
なお、上記内軸受け１６の回動はリンク部材２５を介して外軸受け６に伝達されるため、内軸受け１６の回動と同時に、外軸受け６の第一外軸ピン１４を軸とした回動も行われることになる。
【００３２】
上述のように内把手４を矢印ロ方向に押し操作すると、まず、反転ラッチ２９が反転し、扉本体２の開放の制止が解除される。そして、さらにこの内把手４の押し操作を続けると、外把手３の一端部に設けられた躯体押圧部３ａの当接部３ｂが戸当たり部５の受け座５ａに当接し、これを押圧することにより、扉本体２に開放力が付与される。そのため、このまま内把手４の押し操作を継続させれば、扉本体２を小さな力で開くことができる。
【００３３】
従って、前記扉１では、外、内把手３，４の押し引き操作に伴い躯体側の戸当たり部５を押圧するように構成された外把手３により、外、内把手３，４の操作方向と同じ室外方向の開放力が外開きの扉本体２に付与されることから、扉本体２の開放初期に必要な開放力が軽減されることとなり、外、内把手３，４の押し引き操作を続ければ、扉本体２を小さな力で容易に開くことができる。また、前記扉１では、外、内把手３，４の操作方向と扉本体２の開放方向とを一致させているので、扉本体２を開放する際の操作性が優れたものとなる。
【００３４】
ここで、この実施の形態の扉１では、外、内把手３，４を連動させるためにリンク部材２５で連結された外軸受け６および内軸受け１６を保持する外座１０および内座２０の他に、図１（Ａ）および（Ｂ）に示すように、外座１０および内座２０と同じ構造の補助外座１０Ａおよび補助内座２０Ａが設けられており、さらに、補助外座１０Ａは前記外軸受け６と同じ構造の補助外軸受け（図示していない）を保持し、補助内座２０Ａは前記内軸受け１６と同じ構造の補助内軸受け（図示していない）を保持するように構成されている。すなわち、補助外座１０Ａは扉本体２の他端部の室外側の適宜の位置に二つ設けられており、各補助外座１０Ａは外把手３に固定された補助外軸受けを保持するように構成されている。また、補助内座２０Ａは扉本体２の他端部の室内側の適宜の位置に一つ設けられており、内把手４に固定された補助内軸受けを保持するように構成されている。そして、外把手３の回動操作を補助する補助外軸受けおよび補助外座１０Ａと、内把手４の回動操作を補助する補助内軸受けおよび補助内座２０Ａとにより、外、内把手３，４のがたつきを防止することができ、それだけ、外、内把手３，４の操作性を向上させることができる。
【図面の簡単な説明】
【００３５】
【図１】（Ａ）および（Ｂ）は、本発明の一実施の形態に係る扉の構成を概略的に示す正面図および背面図である。
【図２】扉の要部の構成を概略的に示す横断面図である。
【図３】図２のＸ−Ｘ線断面図である。
【図４】扉の要部の構成を概略的に示す縦断面図である。
【図５】（Ａ）、（Ｂ）および（Ｃ）は、扉の外軸受けの構成を概略的に示す平面図、縦断面図および正面図である。
【図６】（Ａ）、（Ｂ）および（Ｃ）は、扉の外座の構成を概略的に示す正面図、側面図および平面図である。
【図７】（Ａ）、（Ｂ）および（Ｃ）は、扉の内軸受けの構成を概略的に示す平面図、縦断面図および正面図である。
【図８】（Ａ）、（Ｂ）および（Ｃ）は、扉の内座の構成を概略的に示す正面図、側面図および平面図である。
【符号の説明】
【００３６】
１    扉
２    扉本体
３    外把手
３ａ  躯体押圧部
４    内把手
５    戸当たり部
６    外軸受け
１０    外座
１６    内軸受け
２０    内座
２５    リンク部材
【図１】
2006144247.tif 000003
【図２】
2006144247.tif 000004
【図３】
2006144247.tif 000005
【図４】
2006144247.tif 000006
【図５】
2006144247.tif 000007
【図６】
2006144247.tif 000008
【図７】
2006144247.tif 000009
【図８】
2006144247.tif 000010